(57)【要約】【課題】「健康かみしばい」を有効活用して健康教育や健康情報を適切に提供して、健康づくりへの行動を起こせない個人に対して運動・身体活動の重要性を認識させるアプローチができ、個人の努力のみに頼るのではなく、地域や職場等で効果的に実践できて、健康づくりの好循環をつくり得る健康づくり支援システムを提供する。【解決手段】健康づくりための各種データを提供可能な情報提供装置と、健康づくりの行動を記載可能なチャレンジシートを備え、情報提供装置の各種データは、問題定義用のデータ、解決理論用のデータ、解決アクション用のデータを含み、これらの各データが健康かみしばいの形態で健康づくり支援者から提供されることを特徴とする。【選択図】図３
2019036129.tif 000002
【特許請求の範囲】
【請求項１】
健康づくりための各種データを提供可能な情報提供装置と、健康づくりの行動を記載可能なチャレンジシートを備え、
前記情報提供装置の各種データは、問題定義用のデータ、解決理論用のデータ、解決アクション用のデータを含み、これらの各データが健康かみしばいの形態で健康づくり支援者から提供されることを特徴とする健康づくり支援システム。
【請求項２】
前記健康かみしばいは、その各頁の表面に前記各種データが記載されると共に、各頁の裏面に各表面のデータの説明文とデータの種類及び何頁かを示す頁データが記載されていることを特徴とする請求項１に記載の健康づくり支援システム。
【請求項３】
前記チャレンジシートは、健康づくりの目標を記載する目標記載欄と、前記目標をクリアした場合に所定のマーキングをする行動記載欄を有することを特徴とする請求項１または２に記載の健康づくり支援システム。
【発明の詳細な説明】
【技術分野】
【０００１】
本発明は、高齢者等の個人の健康づくりを支援するために、健康教育や健康情報等を適切に提供可能な健康づくり支援システムに関する。
【背景技術】
【０００２】
一般に、個人の健康を維持するうえで医療・健康情報を正しく理解して活用する個人の能力をヘルス・リテラシーといい、ヘルス・リテラシーが低いと個人が適切な疾病予防や医療のサービスを受けることは難しい。このヘルス・リテラシーは、高齢者の方が若者より低いことが知られているが、その要因として、若者はＩＴから多くの医療・健康情報を容易に得るが、高齢者にはＩＴが十分に普及していないこと、及び「地域包括ケアシステム」等のカタカナ用語や「介護保険制度」等の社会の仕組みが複雑でわかり難いこと等が、その一因として考えられている。
【０００３】
一方、昭和２０年以降、我が国の農村医学の分野では、無医村や医療過疎地域において、医療者側が工夫することで地域の総合的な保険活動を展開してきている歴史がある。その際、例えば巡回診療活動に、演劇、紙芝井（かみしばい）、指人形、映画等を持参したという記録があり、特に紙芝井は、高齢者に比較的受け入れ易く、過去に体験した可能性が高いこと、現在はほとんど体験できず懐かしさと物珍しさがあること、能動的・自己参加的であること等から、近年、介護施設向けで一部使用されている。
【０００４】
従来、個人の健康づくりを支援する方法としては、例えば特許文献１及び特許文献２が開示されている。特許文献１に開示の健康づくり支援方法（健康づくり支援システム）は、マークシートに記入した「休養習慣に関するデータ」と「運動習慣に関するデータ」及び「食事習慣に関するデータ」に基づき、予め定めたテーマ毎に個人の健康づくりの改善方法を作成して、この方法を各個人に実践させるようにしたものである。
【０００５】
また、特許文献２に開示の健康づくり支援方法（自立体力テスト方法及びその装置）は、「歩行能力」「身体調整能力」「手先作業能力」及び「姿勢変換能力」の達成時間を、それぞれ所定の器具等を使用して計測し、この計測時間を予め実験によって求めた評価基準表と比較して各個人の自立体力を測定し、各個人の健康づくりを支援するようにしたものである。
【先行技術文献】
【特許文献】
【０００６】
【特許文献１】特開２０００−２３９２３号公報
【特許文献２】特許第５３１６９８４号公報
【発明の概要】
【発明が解決しようとする課題】
【０００７】
しかしながら、前者の支援方法にあっては、テーマ毎に作成される改善方法を実践することで個人の健康づくりを支援できるものの、マークシートへの記載から支援が開始されるため、個人がマークシートへの記入という最初の行動を起こす必要がある。また、後者の測定方法にあっても、個人の自立体力は精度良く測定できてその測定結果に基づいた所定の行動を起こすことで、健康づくりの支援が可能になるものの、前者の支援方法と同様に、個人が自立体力を測定しようとする最初の行動を起こす必要がある。
【０００８】
すなわち、両方法とも、健康づくりの支援のための最初の行動が、各個人の意識に任されていることから、各個人が運動・身体活動の重要性を理解していたとしても、各支援方法にアプローチすることが現実的に難しく、各方法を確実に実践することも難しい。その結果、例えば個人の健康づくりを地域全体や職場等で効果的に行って、健康寿命を延伸したり社会保障費の削減等を図って、健康づくりの好循環をつくることが困難である。
【０００９】
本発明は、このような事情に鑑みてなされたもので、その目的は、前述した紙芝井に工夫を施した「健康かみしばい」を有効活用することで、健康教育や健康情報等を適切に提供して、健康づくりへの行動を起こせない個人に対して運動・身体活動の重要性を認識させるアプローチができ、個人の努力のみに頼るのではなく地域や職場等で効果的に実践できて、健康づくりの好循環をつくり得る健康づくり支援システムを提供することにある。
【課題を解決するための手段】
【００１０】
かかる目的を達成すべく、本発明のうち請求項１に記載の発明は、健康づくりための各種データ（情報）を提供可能な情報提供装置と、健康づくりの行動を記載可能なチャレンジシートを備え、前記情報提供装置の各種データは、問題定義用のデータ、解決理論用のデータ、解決アクション用のデータを含み、これらの各データが健康かみしばいの形態で健康づくり支援者から提供されることを特徴とする。
【００１１】
また、請求項２に記載の発明は、前記健康かみしばいが、その各頁の表面に前記各種データが記載されると共に、各頁の裏面に各表面のデータの説明文とデータの種類及び何頁かを示す頁データが記載されていることを特徴とする。さらに、請求項３に記載の発明は、前記チャレンジシートが、健康づくりの目標を記載する目標記載欄と、前記目標をクリアした場合に所定のマーキングをする行動記載欄を有することを特徴とする。
【発明の効果】
【００１２】
本発明のうち請求項１に記載の発明によれば、情報提供装置の各種データが、問題定義用のデータ、解決理論用のデータ及び解決アクション用のデータを含み、これらのデータが健康かみしばいの形態で健康づくり支援者から提供されるため、健康づくりへの行動を起こせない個人に対して運動・身体活動の重要性を認識させるアプローチを行うことができ、個人の努力のみに頼るのではなく地域や職場等で効果的に実践できて、健康づくりの好循環をつくることができると共に、情報提供装置の構成を簡略化して地域や職場等で容易に使用できる等、その使い勝手を向上させ、かつ複数の個人に各種情報を適切に提供することができて、個人の健康づくりを効果的に支援することができる。
【００１３】
また、請求項２に記載の発明によれば、請求項１に記載の発明の効果に加え、健康かみしばいが、その各頁の表面に各種データが記載されると共に、各頁の裏面に各表面の説明文とデータの種類及び何頁かを示す頁データが記載されているため、支援者が各頁の表面を複数の個人に提示しながら説明する際に、表面の内容を理解しつつ行えると共に、頁データで健康かみしばいの進み具合を確認できて、健康情報等を的確に提供することができる。
【００１４】
さらに、請求項３に記載の発明によれば、請求項１または２に記載の発明の効果に加え、チャレンジシートが、個人の健康づくりの目標を記載する目標記載欄と、目標をクリアした場合に所定のマーキングをする行動記載欄を有するため、チャレンジシートで各個人が健康づくりの進捗状況を確実に把握できて、個人の健康づくりをより一層効果的に支援することができる。
【図面の簡単な説明】
【００１５】
【図１】本発明に係わる健康づくり支援システムを防止実行可能な支援方法の概念図である。
【図２】同その行動変容を起こす「しくみ」の説明図である。
【図３】同「健康かみしばい」の第１の実施形態のロジック図である。
【図４】同「健康かみしばい」の１頁の表面図である。
【図５】同２頁の表面図である。
【図６】同３頁の表面図である。
【図７】同４頁の表面図である。
【図８】同５頁の表面図である。
【図９】同６頁の表面図である。
【図１０】同７頁の表面図である。
【図１１】同８頁の表面図である。
【図１２】同４頁の裏面図である。
【図１３】同８頁の裏面図である。
【図１４】同「チャレンジシート」の一実施例を示す表面図である。
【図１５】同その裏面図である。
【図１６】同「健康かみしばい」の第２の実施形態のロジック図である。
【図１７】同「健康かみしばい」の１頁の（ａ）が表面図、（ｂ）が裏面図である。
【図１８】同「健康かみしばい」の２頁の（ａ）が表面図、（ｂ）が裏面図である。
【図１９】同「健康かみしばい」の３頁の（ａ）が表面図、（ｂ）が裏面図である。
【図２０】同「健康かみしばい」の４頁の（ａ）が表面図、（ｂ）が裏面図である。
【図２１】同「健康かみしばい」の５頁の（ａ）が表面図、（ｂ）が裏面図である。
【図２２】同「健康かみしばい」の６頁の（ａ）が表面図、（ｂ）が裏面図である。
【図２３】同「健康かみしばい」の７頁の（ａ）が表面図、（ｂ）が裏面図である。
【図２４】同「健康かみしばい」の８頁の（ａ）が表面図、（ｂ）が裏面図である。
【発明を実施するための形態】
【００１６】
以下、本発明を実施するための形態を図面に基づいて詳細に説明する。
図１は、本発明の健康づくり支援システムで実行可能な支援方法の一例を示し、健康づくり支援者育成ステップＳ１と、教育・情報提供ステップＳ２及び自立体力検定ステップＳ３の３つのステップＳ１〜Ｓ３によって実行される。
【００１７】
前記健康づくり支援者育成ステップＳ１は、後述する方法により、健康づくりの推進役を担うと共に、例えば地域や社内の「健康」をコミュニケーションツールとした健康づくりの伴走者（健康づくり支援者：健康づくりを支援、推進、指導等する全ての者を含む）を担う人材を育成する。また、前記自立体力検定ステップＳ３は、後述する自立体力測定方法により、定量的な健康評価の検定を行うと共に、現状と改善方法の見える化を図る。
【００１８】
また、前記教育・情報提供ステップＳ２は、情報提供装置としての健康かみしばい１を介して、各種データとしての健康教育と健康情報の活用を促進すると共に、ヘルス・リテラシーの考え方を踏襲して行動変容のしくみ化を図る。この教育・情報提供ステップＳ２の健康かみしばい１には、チャレンジシート２が組み合わされ、これらにより本発明の健康づくり支援システムが構築される。  
【００１９】
図２は、前記教育・情報提供ステップＳ２における「行動変容」をおこす「しくみ」の説明図である。すなわち、健康かみしばい１は、健康てっぱんネタ（健康情報）の提供を行うと共に、健康に関する知識や方法の理解を図ることを目的とし、チャレンジシート２は、後述する如く構成されて、目標と行動を記載すると共にインセンティブを図ることを目的とする。
【００２０】
前記健康かみしばい１は、例えば図３に示すように構成される。この健康かみしばい１は、テーマが「あなたのカラダ、健康診断だけで大丈夫？」としたもので、６５歳以上の要介護の原因の図等の問題定義学術データＤ１の頁（４枚）と、健康の三大要素の解説等の解決理論学術データＤ２の頁（１枚）と、例えば健康な体力を維持する３つのポイント等の解決アクション学術データＤ３の頁（１枚）と、行動へ落とし込むための簡単にできるトレーニング方法Ｔの頁（２枚）で構成され、これに行動の見える化を図る前記チャレンジシート２の頁（１枚）が付加される。
【００２１】
図４〜図１３は、前記健康かみしばい１の具体例を示している。なお、健康かみしばい１の各頁は、例えばＡ３の厚紙で形成され、次に示すような文章や図等が印刷等（記載、記入、記録、掲載等を含む、以下同）されている。すなわち、図４〜図７は、前述した問題定義学術データＤ１に係わる頁を示し、図４の頁１（Ｐ１）には問題定義の文章が印刷等され、図５の頁２（Ｐ２）には６５歳以上の要介護の原因を示す図等が印刷等されている。また、図６の頁３（Ｐ３）には、健康診断と体力診断の文章が印刷等され、図７の頁４（Ｐ４）には老化の進みを示す図等が印刷等されている。
【００２２】
また、図８は前述した解決理論学術データＤ２に係わる頁を示し、この頁５（Ｐ５）には、健康の三大要素の文章が印刷等されている。また、図９は、前述した解決アクション学術データＤ３に係わる頁を示し、この頁６（Ｐ６）にはトレーニング方法の文章が印刷等されている。さらに、図１０及び図１１は、前述した行動への落とし込み、つまり前記トレーニング方法Ｔに係わる頁を示し、これらの頁７（Ｐ７）、頁８（Ｐ８）には、具体的なトレーニング方法を示すイラスト（写真）等が印刷等されている。
【００２３】
そして、健康かみしばい１の各頁１〜頁８の裏面には、各頁１〜頁８の説明文９が印刷等されている。例えば図１２に示すように、頁４（Ｐ４）にはその説明文９−４が裏面に印刷等され、図１３に示すように、頁８（Ｐ８）にはその説明文９−８が裏面に印刷等されている。そして、健康づくり支援者が頁１から順にその表面側を複数の個人に見せながら、裏面の説明文９を読むことで、健康教育や健康情報が提供されることになる。このとき、健康かみしばい１の各頁をかみしばい用のボックスに入れて１枚ずつ抜いて説明する場合には、前記説明文９を一つ前の頁の裏面等に印刷等すれば良い。
【００２４】
次に、このような健康かみしばい１と併用される前記チャレンジシート２について説明する。チャレンジシート２は、例えば大きさがＡ４の紙で図１４及び図１５に示すように構成される。すなわち、チャレンジシート２の表面２ａには、図１４に示すように、チャレンジシート２を使用する個人の氏名等のデータを記載する個人データ欄３と、目標を記載（記入）する目標記載欄４と、目標をクリアした日を塗りつぶす等のマーキングをする行動記載欄５が印刷等されている。また、チャレンジシート２には、健康づくりのテーマ６（図１４では、テーマが「塩辛いものを摂り過ぎていませんか？」の場合を示す）と、減塩の効果７等が予め印刷等されている。
【００２５】
また、前記行動記載欄５は、富士山の図５ａが印刷等されると共に、富士山の裾野をスタート（ＳＴＡＲＴ）とし山頂がゴール（ＧＯＡＬ）となる、１〜３、８〜１３、１５〜２０、２２〜２６、２８〜３０の数字５ｂ（日）と、１週間毎の１〜４の数字５ｃ（週）が、丸印の中に印刷等されている。そして、目標をクリアした場合には、所定の数字５ｂ、５ｃの丸印が塗りつぶされるようになっている。
【００２６】
一方、チャレンジシート２の裏面２ｂは、例えば図１５に示すように、減塩に取り組むための各種の健康情報８ａや個人記載欄８ｂ等が印刷等されている。なお、チャレンジシート２は、以上の例に限定されず、例えば所属する県や市町村の図を使用し、その観光名所等のポイントを１から３０の数字で連結して、各個人の健康づくりへの意欲を高め得るような適宜形態のチャレンジシートを使用することも勿論可能であるし、Ａ４のシート状に限らず、適宜の大きさのカード状であっても良い。
【００２７】
なお、前記健康づくり支援者育成ステップＳ１は、例えば健康かみしばい１を使って健康知識等を提供する健康教育スキルを取得するステップと、後述する自立体力測定方法によって自立体力を検定して運営するスキルを取得するステップと、簡単な運動方法等の健康啓蒙スキルを取得するステップからなり、これら３つのステップ（スキル）を所定の講座を受講することで行われるようになっている。
【００２８】
また、前記自立体力検定ステップＳ３は、４つの自立体力の測定結果、すなわち、歩行能力と手先作業能力、身体調整能力及び姿勢変換能力が測定されてその結果に基づいて行われる。前記歩行能力は、例えばスタートから７ｍの位置の間に４つのコーンをジグザグ状に配置し、各コーン間をジグザグに歩いてスタートに戻るまでの時間を計測することで行う。
【００２９】
また、前記手先作業能力は、左右に一列と中央に２列で前後方向に複数の穴がそれぞれ形成されたペグボードとテーブルを使用し、テーブル上にセットしたペグボードの各穴にペグを順に抜き差しすることで行われる。さらに、前記身体調整能力は、所定長さのスーパーソフトバンドを使用し、このスーパーソフトバンドを身体の前側から外側に例えば３周回させ、その時間を計測することで行われる。さらに、前記姿勢変換能力は、椅子とリング及びマットを使用し、マット上に仰向きに寝た姿勢から立ち上がって椅子に座り、次に椅子で立ち上がりと座る動作を所定回数行い、最後に床面上等に配置したリングを拾い頭上に持ち上げるまでの時間を計測することで行われる。
【００３０】
そして、各能力の時間を計測したら、これらの時間を予め実験等により求めた図示しない評価基準表と比較して、各個人の自立体力が検定される。つまり、前記自立体力検定ステップＳ３は、高齢者等の日常生活において必要とされる４つの能力を測定（検定）することで、各個人の自立体力が精度良く検定されることになる。なお、以上説明した自立体力検定ステップＳ３における自立体力測定方法は、本願出願人に係わる特許第５３１６９８４号公報及び特許第５４４１２４０号公報に詳細に開示されている。
【００３１】
図１６は、本発明に係わる健康かみしばい１の第２の実施形態のロジック図を示している。以下、これについて、前記第１の実施形態の健康かみしばい１と同一部位には同一符号を付して説明する。この実施形態の健康かみしばい１の特徴は、前記第１の実施形態の行動の落とし込みとしてのトレーニング方法Ｔを省略し、行動の見える化として前記チャレンジシート２を使用するようにした点にある。
【００３２】
そして、図１７〜図２４は、このロジック図に基づき、カテゴリが「食生活の習慣」で、テーマを「塩辛いものを取り過ぎていませんか？」とした場合の健康かみしばい１を示している。すなわち、図１７〜図２０の４枚が前記問題定義学術データＤ１の頁で、図２１、図２２の２枚が前記解決理論学術データＤ２の頁、図２３、図２４の２枚が前記解決アクション学術データＤ３を示している。つまり、問題定義学術データＤ１としての、図１７の頁１の表面は、日本人の１日食塩平均摂取量についての択一回答式の設問の頁で、図１８の頁２の表面はその答えの頁、図１９の頁３の表面は、２０歳以上の高血圧の割合についての設問の頁で、図２０の頁４の表面はその答えの頁である。
【００３３】
また、解決理論学術データＤ２としての、図２１の頁５の表面は、ナトリウムについての説明の頁で、図２２の頁６の表面は、塩分が多く含まれる食品についてと減塩の効果についての説明の頁である。さらに、解決アクション学術データＤ３としての、図２３の頁７の表面は、減塩するポイントについての説明の頁で、図２４の頁８の表面は、毎日の目標を立てるための頁である。
【００３４】
そして、これらの各頁１〜頁８の裏面には、対応する各表面の説明文９がそれぞれ印刷等されている。このとき、各頁１〜頁８の裏面の左側には、頁データ２４が印刷され、この頁データ２４は、上下方向に１〜８までの頁を示す番号２４ａと、１〜４が前記問題定義学術データＤ１で、５と６が前記解決理論学術データＤ２で、７と８が前記解決アクシュン学術データＤ３である旨が印刷等されている。また、頁データ２４の番号２４ａを示す１〜８の各数字は、健康かみしばい１の各頁に該当する数字が他の頁の数字とは異なるように、例えば太字・大文字あるいは太字・白抜き数字等となっている。また、各頁１〜頁８の裏面の右端上部には、各頁の表面の内容が縮小状態で印刷等されている。
【００３５】
これらにより、前記健康づくり支援者か健康かみしばい１を使用して健康づくりのための健康教育や健康情報の提供を行う際に、頁１〜頁８の表面を各人に示しながら、表面に対応した説明を行うことができると共に、健康づくり支援者自身が健康かみしばい１の進み度合いを的確に把握しつつ行うことができる。
【００３６】
なお、本発明に係わる健康かみしばい１は、前述した各実施形態のテーマ（カテゴリ）に限定されず、例えば「歯ぐきからの出血を放っていませんか？（食生活の習慣）」、「低栄養になっていませんか？（食生活の習慣）」、「毎日どのくらい歩いていますか？（運動の習慣）」、「転倒予防の大切さを知っていますか？（運動の習慣）」、「タバコは吸わないようにしていますか？（休養の習慣）」、「ストレスをためすぎないようにしていますか？（休養の習慣）」、「ライフスタイルに合った「活動の習慣」を取り入れていますか？（社会生活の習慣）」、「家庭内の役割を持っていますか？（社会生活の習慣）」等の、健康に係わる各種のテーマ（カテゴリ）に適用することも可能である。
【００３７】
また、前記各実施形態の健康かみしばい１の頁数も８頁に限定されず、適宜に増減できるし、前記具体例における各データＤ１〜Ｄ３、Ｔの頁数も適宜に増減できる。さらに、前記各データＤ１〜Ｄ３、Ｔの形態も、例えばデータＤ１〜Ｄ３のうち所定の複数のデータＤ１〜Ｄ３を所定の頁に一体化したり、所定の一部のデータＤ１〜Ｄ３を削除する等、適宜に変更することができる。また、各頁の大きさもＡ３に限らず、Ａ４等であっても良い。
【００３８】
以上説明したように、前記健康づくり支援方法は、健康づくり支援者育成ステップＳ１と、教育・情報提供ステップＳ２及び自立体力検定ステップＳ３を備えることから、これらの各ステップＳ１〜Ｓ３と健康ソリューションとを活用することで、健康づくりのやる気のスイッチを入れる４つの「しくみ」を構築できる。すなわち、日常生活の体力と健康度を客観的にチェックできる自立体力検定ステップＳ３により、「しくみ１」として体力・健康度の見える化が図れ、また、教育・情報提供ステップＳ２により、健康知識を楽しく提供し、行動変容をおこす健康教育ツールとなる健康かみしばい１やチャレンジシートシート２で健康知識の取得・活用を図ることができる。
【００３９】
さらに、健康づくり支援者育成ステップＳ１で、健康づくりを推進しサポートできる人材（健康づくり支援者）が育成され、「しくみ３」としての健康づくり伴走者の育成が図れ、また、頭、体、心を健康にする所定の健康商品を併用することにより、「しくみ４」としての健康ソリューションの活用が図れる。そして、「しくみ１」では、客観的に健康課題を把握することができ、「しくみ２」では、健康的な生活習慣を身に付けることができる。また、「しくみ３」では、伴走者の存在で健康づくりが継続され、「しくみ４」では、健康づくりへ取り組みを一層促進できることになる。
【００４０】
つまり、本発明の前記健康づくり支援システムによれば、例えば自立体力結果に基づいて健康づくり支援者が健康づくりのための健康教育と健康情報提供を行う情報提供装置としての健康かみしばい１と、チャレンジシート２を備えるため、この健康づくりへの行動を起こせない個人に対して運動・身体活動の重要性を認識させるアプローチを行うことができ、個人の努力のみに頼るのではなく地域や職場等で効果的に実践できて、健康寿命を延伸したり社会保障費の削減が図れる等の健康づくりの好循環を構築して、個人の健康づくりを効果的に支援することが可能になる。
【００４１】
また、情報提供装置が、健康教育用の資料や健康情報提供用の資料に基づく健康かみしばい１の形態で行われると共に、個人の健康づくりの目標と行動が記載されたチャレンジシート２が併用（組み合わ）されるため、地域や職場等の複数の個人に対して、健康づくりための教育や情報を見易くかつ解り易く提供できると共に、現在ではほとんど接する機会のない「紙芝井」の使用で、個人が「健康紙しばい１」に懐かしさや物珍しさを感じつつ興味を持つことができ、個人の健康づくりをより効果的に支援することができる。
【００４２】
特に、情報提供装置として、健康づくりための各データＤ１〜Ｄ３、Ｔからなる教育用の資料や情報提供用の資料を有する８頁の健康かみしばい１が使用されるため、情報提供装置の構成を簡略化して地域や職場等で容易に使用できる等、その使い勝手を向上させると共に、複数人の個人に各種情報等を効果的に提供することができて、個人の健康づくりをより効果的に支援することができる。
【００４３】
また、健康かみしばい１と併用されるチャレンジシート２が、個人の健康づくりの目標を記載する目標記載欄４と、目標をクリアした場合に所定のマーキングをする行動記載欄５等を有するため、チャレンジシート２で各個人が健康づくりの進捗状況を確実に理解することができる。またさらに、チャレンジシート２の各行動記載欄５が親しみ易い富士山の図５ａを使用して行われるため、各個人がチャレンジシート２に親近感を覚えたり、行動記載欄５へのマーキング等を確実に行うことができる。
【００４４】
また、健康づくり支援者育成ステップＳ１を採用することで、健康づくり支援者が健康教育スキル、自立体力検定の運営スキル及び運動啓蒙スキルの各スキルを所得でき、健康づくり支援者の能力を一層高めることができると共に、自立体力検定ステップＳ３を採用することで、歩行能力、手先作業能力、身体調整能力及び姿勢変換能力の４つの検定ステップを実行でき、高齢者等の各個人の自立体力を精度良く検定できて、各個人の健康づくりをより一層効果的に支援することが可能になる。
【００４５】
なお、前記実施形態においては、健康づくり支援者が、健康教育スキル、自立体力の運営スキル及び健康啓蒙スキルの各スキルを所定の講座を受講することで、認定資格を有する認定資格者として説明したが、本発明は、これに限定されず、所定の資格や所定の教育により健康に関する所定のスキルを有する、例えば市町村の保健師、企業の健康推進者等の社員（個人）の健康づくりに携わる者、あるいは看護師等であっても良い。
【００４６】
また、前記「健康かみしばい」は、自立体力検定ステップの検定結果に基づいて、教育・情報提供を行う例に限定されず、例えば前述した問題定義学術データ、解決理論学術データ、解決アクション学術データの少なく一つが掲載された「健康かみしばい」のみを使用して、個人の健康課題等に応じた教育・情報提供を行う方法であっても良い。
【００４７】
さらに、前記実施形態においては、各種データとしての教育・情報の提供用として紙に印刷等された健康かみしばいを使用したが、このかみしばいの形態は、紙を使用した例に限定されず、例えば各頁を液晶表示盤等のようなモニタに表示させる形態、ＰＤＦデータを提供してプロジェクターに表示させる形態、スライドショー動画をパソコンやスマートフォン等で視聴可能とする形態、健康かみしばいの各頁をポスター化して掲示物とする形態等、適宜形態の情報提供装置を採用することも勿論可能である。
【産業上の利用可能性】
【００４８】
本発明は、高齢者等の個人の健康づくりに限らず、全ての年代の個人の健康づくりにも利用可能である。
【符号の説明】
【００４９】
１・・・・・・・・・健康かみしばい
２・・・・・・・・・チャレンジシート
２ａ・・・・・・・・表面
２ｂ・・・・・・・・裏面
３・・・・・・・・・個人データ欄
４・・・・・・・・・目標記載欄
５・・・・・・・・・行動記載欄
６・・・・・・・・・テーマ
７・・・・・・・・・効果
８・・・・・・・・・健康情報
９・・・・・・・・・説明文
２４・・・・・・・・頁データ
２４ａ・・・・・・・番号
Ｓ１・・・・・・・・健康づくり支援者育成ステップ
Ｓ２・・・・・・・・教育・情報提供ステップ
Ｓ３・・・・・・・・自立体力検定ステップ
Ｄ１・・・・・・・・問題定義学術データ
Ｄ２・・・・・・・・解決理論学術データ
Ｄ３・・・・・・・・解決アクション学術データ
Ｔ・・・・・・・・・トレーニング方法
【図１】
2019036129.tif 000003
【図２】
2019036129.tif 000004
【図３】
2019036129.tif 000005
【図４】
2019036129.tif 000006
【図５】
2019036129.tif 000007
【図６】
2019036129.tif 000008
【図７】
2019036129.tif 000009
【図８】
2019036129.tif 000010
【図９】
2019036129.tif 000011
【図１０】
2019036129.tif 000012
【図１１】
2019036129.tif 000013
【図１２】
2019036129.tif 000014
【図１３】
2019036129.tif 000015
【図１４】
2019036129.tif 000016
【図１５】
2019036129.tif 000017
【図１６】
2019036129.tif 000018
【図１７】
2019036129.tif 000019
【図１８】
2019036129.tif 000020
【図１９】
2019036129.tif 000021
【図２０】
2019036129.tif 000022
【図２１】
2019036129.tif 000023
【図２２】
2019036129.tif 000024
【図２３】
2019036129.tif 000025
【図２４】
2019036129.tif 000026